(57)【要約】【課題】１回の撮影で複数の画像を作成する際に、撮影中と撮影後で残り可能撮影回数が変動する。【解決手段】１回の撮影で複数の画像ファイルを作成する際は、撮影指示を受け取った時点で残り撮影可能回数を１減らし、すべての画像のファイルサイズが得られた時点で、すべての画像を記録した後の記録媒体の残り容量を算出し、残り撮影可能回数を表示手段に表示する。【選択図】図３
2017118209.tif 000002
【特許請求の範囲】
【請求項１】
撮影指示を受けると、撮像素子から被写体画像を取り込み、取り込んだ画像から複数の撮影画像を生成し、記録媒体に記録する撮像装置であって、
撮影指示を受け取ると残り撮影可能回数を１減らし、作成するすべての画像ファイルのファイルサイズが確定するまでは、前記残り撮影可能回数表示手段に表示する撮影可能回数を変更せず、すべての画像ファイルのファイルサイズが確定した時点で、記録媒体の撮影前の残容量から記録するすべての画像ファイルのファイルサイズを減算することによって撮影後の記録媒体の残容量を算出し、算出した残容量を標準画像サイズで除算することによって、残り撮影可能回数を算出する制御手段とを備えることを特徴とする撮像装置。
【請求項２】
残り撮影可能回数を表示する残り撮影可能回数手段を備え、前記残り撮影可能回数手段に残り撮影可能回数を表示することを特徴とする請求項１に記載の撮像装置。
【請求項３】
１度の撮影でＲＡＷデータとＪＰＥＧデータの両方を記録することを特徴とする請求項１又は請求項２に記載の撮像装置。
【請求項４】
１枚のＲＡＷデータからホワイトバランスを変更して、複数の画像ファイルをを記録することを特徴とする請求項１乃至請求項３の何れか一項に記載の撮像装置。
【請求項５】
撮影指示を受けると、撮像素子から複数枚の被写体画像を取り込み、取り込んだ複数枚の画像から複数の撮影画像を生成し、記録媒体に記録することを特徴とする請求項１乃至請求項４の何れか一項に記載の撮像装置。
【発明の詳細な説明】
【技術分野】
【０００１】
本発明は、１回の撮影で複数の画像を作成する撮像装置に関する。
【背景技術】
【０００２】
従来のデジタルカメラなどの撮像装置には、１回の撮影でＲＡＷ＋ＪＰＥＧ画像の同時記録を行うものがある（特許文献１参照）。また、１回の撮影でホワイトバランスを変えて複数の画像を記録するホワイトバランスブラケットをおこなうものがある（特許文献１参照）。また、カメラが被写体や撮影状況を判別して、自動で効果を付けたり被写体を切り出して、１回の撮影で６枚の静止画を記録するものがある（非特許文献１参照）。
【０００３】
こうした１回の撮影で同時に複数枚の画像を作成する撮影モードでは、デジタルカメラのＬＣＤや光学ビューファインダー内に、あと何回撮影できるかをユーザーに知らせるために、残り撮影可能回数を表示する。
【先行技術文献】
【特許文献】
【０００４】
【特許文献１】特開２００６−２２９４７４号公報
【非特許文献】
【０００５】
【非特許文献１】「キヤノン株式会社  ＰｏｗｅｒＳｈｏｔＮ  カメラユーザーガイド  ２０１３年発行、ｐ．４８」
【発明の概要】
【発明が解決しようとする課題】
【０００６】
１回の撮影で複数枚の画像を作成し、記録媒体に画像を書き込む撮像装置では、作成された１枚の画像を書き込むたびに、残り撮影可能回数を計算し、ＬＣＤや光学ビューファインダー内に表示していた。そのため画像が書き込まれるたびに、残り撮影可能回数が変動するという問題があった。
【課題を解決するための手段】
【０００７】
上記の課題を解決するために、本発明に係る撮像装置は、
撮影指示を受けると、撮像素子から被写体画像を取り込み、取り込んだ画像から複数の撮影画像を生成し、記録媒体に記録する撮像装置であって、
撮影指示を受け取ると残り撮影可能回数を１減らし、作成するすべての画像ファイルのファイルサイズが確定するまでは、前記残り撮影可能回数表示手段に表示する撮影可能回数を変更せず、すべての画像ファイルのファイルサイズが確定した時点で、記録媒体の撮影前の残容量から記録するすべての画像ファイルのファイルサイズを減算することによって撮影後の記録媒体の残容量を算出し、算出した残容量を標準画像サイズで除算することによって、残り撮影可能回数を算出する制御手段とを備えることを特徴とする。
【発明の効果】
【０００８】
本発明に係る撮像装置によれば、１回の撮影で複数の画像を作成する際に、撮影中と撮影後で残り可能撮影回数の変動を最小限にすることが可能となる。
【図面の簡単な説明】
【０００９】
【図１】本発明の一実施形態に係るデジタルカメラの外観図である。
【図２】本発明の一実施形態に係るデジタルカメラの構成を示すブロック図である。
【図３】本発明の一実施形態に係るＲＡＷ＋ＪＰＥＧ画像の同時記録における撮影処理の動作を示すフローチャートである。
【図４】本発明の一実施形態に係る残り撮影回数取得処理の動作を示すフローチャートである。
【図５】本発明の第１の実施例における記録媒体の残り容量の変遷を説明する図である。
【図６】本発明の一実施形態に係る残り撮影可能回数表示の一例である。
【図７】本発明の第２の実施例における記録媒体の残り容量の変遷を説明する図である。
【図８】本発明の一実施形態に係るクリエイティブショットにおける撮影処理の動作を示すフローチャートである。
【発明を実施するための形態】
【００１０】
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１１】
［デジタルカメラの構成について］
図１は実施形態によるデジタルカメラの外観図である。
【００１２】
図１において、２８は表示部であり、画像や各種情報を表示する。７２は電源スイッチであり、電源オン、電源オフを切り替える。６１はシャッターボタンである。６０はモード切替スイッチであり、デジタルカメラ１００における各種モードを切り替える。より具体的には、静止画記録モード、動画記録モード、再生モード等のモードの切り替えが可能である。１１１は接続ケーブルであり、デジタルカメラ１００と外部機器を接続する。１１２はコネクタであり、接続ケーブル１１１とデジタルカメラ１００とを接続する。
【００１３】
７０は操作部であり、ユーザからの各種操作を受け付ける。操作部７０は図示の各種ボタンや、画像表示部２８の画面上に設けられたタッチパネル等の操作部材を有する。操作部７０の各種ボタンとは、具体的に例示すると、消去ボタン、メニューボタン、ＳＥＴボタン、十字に配置された４方向ボタン（上ボタン、下ボタン、右ボタン、左ボタン）、ホイール７３等である。２００はメモリカードやハードディスク等の記録媒体である。２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
【００１４】
図２は本実施形態によるデジタルカメラ１００の構成例を示すブロック図である。
【００１５】
図２において、１０３は撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換する場合や、音声制御部１１から出力されるアナログ信号をデジタル信号に変換する場合に用いられる。１０２はバリアであり、デジタルカメラ１００の、レンズ１０３を含む撮像部を覆うことにより、撮影レンズ１０３、シャッター１０１、撮像部２２を含む撮像系の汚れや破損を防止する。
【００１６】
１２はタイミング発生部であり、撮像部２２、音声制御部１１、Ａ／Ｄ変換器２３、Ｄ／Ａ変換器１３にクロック信号や制御信号を供給する。タイミング発生部１２は、メモリ制御部１５及びシステム制御部５０により制御される。２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、画像表示部２８に表示するための画像データを格納する。尚、メモリ３２は、マイク１０において録音された音声データ、静止画像、動画像および画像ファイルを構成する場合のファイルヘッダを格納するのにも用いられる。従って、メモリ３２は、所定枚数の静止画像や所定時間の動画像および音声を格納するのに十分な記憶容量を備えている。
【００１８】
圧縮／伸張部１６は、適応離散コサイン変換（ＡＤＣＴ）等により画像データを圧縮、伸張する。圧縮／伸張部１６は、シャッター１０１をトリガにしてメモリ３２に格納された撮影画像を読み込んで圧縮処理を行い、処理を終えたデータをメモリ３２に書き込む。また、記録媒体２００の記録部１９などからメモリ３２に読み込まれた圧縮画像に対して伸張処理を行い、処理を終えたデータをメモリ３２に書き込む。圧縮／伸張部１６によりメモリ３２に書き込まれた画像データは、システム制御部５０のファイル部においてファイル化され、インターフェース１８を介して記録媒体２００に記録される。また、メモリ３２は画像表示用のメモリ（ビデオメモリ）を兼ねている。１３はＤ／Ａ変換器であり、メモリ３２に格納されている画像表示用のデータをアナログ信号に変換して画像表示部２８に供給する。２８は画像表示部であり、ＬＣＤ等の表示器上に、Ａ／Ｄ変換器２３からのアナログ信号に応じた表示を行う。こうして、メモリ３２に書き込まれた表示用の画像データはＤ／Ａ変換器１３を介して画像表示部２８により表示される。
【００１９】
１０はマイクである。マイク１０から出力された音声信号は、アンプ等で構成される音声制御部１１を介してＡ／Ｄ変換器２３に供給され、Ａ／Ｄ変換器２３においてデジタル信号に変換された後、メモリ制御部１５によってメモリ３２に格納される。一方、記録媒体２００に記録されている音声データは、メモリ３２に読み込まれた後、Ｄ／Ａ変換器１３によりアナログ信号に変換される。音声制御部１１は、このアナログ信号によりスピーカ３９を駆動し、音声出力する。
【００２０】
不揮発性メモリ５６は電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２１】
５０はシステム制御部であり、デジタルカメラ１００全体を制御する。システム制御部５０は、上述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。
【００２２】
モード切替スイッチ６０、第１シャッタースイッチ６２、第２シャッタースイッチ６４、操作部７０はシステム制御部５０に各種の動作指示を入力するための操作手段である。
【００２３】
モード切替スイッチ６０は、システム制御部５０の動作モードを静止画記録モード、動画記録モード、再生モード等のいずれかに切り替えることができる。第１シャッタースイッチ６２は、デジタルカメラ１００に設けられたシャッターボタン６１の操作途中（半押し）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了（全押し）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２５】
操作部７０の各操作部材は、画像表示部２８に表示される種々の機能アイコンを選択操作することなどにより、場面ごとに適宜機能が割り当てられ、各種機能ボタンとして作用する。機能ボタンとしては例えば終了ボタン、戻るボタン、画像送りボタン、ジャンプボタン、絞込みボタン、属性変更ボタン等がある。例えば、メニューボタンが押されると各種設定が可能なメニュー画面が画像表示部２８に表示される。利用者は、画像表示部２８に表示されたメニュー画面と、４方向ボタンやＳＥＴボタンとを用いて直感的に各種設定を行うことができる。電源スイッチ７２は、電源オン、電源オフを切り替える。
【００２６】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
３０は電源部であり、アルカリ電池やリチウム電池等の一次電池やＮｉＣｄ電池やＮｉＭＨ電池、Ｌｉ電池等の二次電池、ＡＣアダプター等からなる。３３及び３４はコネクタであり、電源部３０と電源制御部８０とを接続する。
【００２８】
４０はＲＴＣ（Ｒｅａｌ  Ｔｉｍｅ  Ｃｌｏｃｋ）であり、日付及び時刻を計時する。ＲＴＣ４０は、電源制御部８０とは別に内部に電源部を保持しており、電源部３０が落ちた状態であっても、計時状態を続ける。システム制御部５０は起動時にＲＴＣ４０より取得した日時を用いてシステムタイマを設定し、タイマ制御を実行する。
【００２９】
１８はメモリカードやハードディスク等の記録媒体２００とのインターフェースである。３５は該記録媒体２００とインターフェース１８との接続のためのコネクタである。９６は記録媒体コントローラであり、記録媒体２００への画像データの書き込み／読み出し、および空き容量の取得を行う。
【００３０】
２００はメモリカードやハードディスク等の記録媒体である。記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。
【００３１】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１１２は、通信部１１０を介してデジタルカメラ１００を他の機器と接続する。
【実施例１】
【００３２】
図３は第１の実施例におけるＲＡＷ＋ＪＰＥＧ画像の同時記録における撮影処理の処理フローの一例である。
【００３３】
システム制御部５０は、まず変数Ｌｏｃｋを１にする（Ｓ３０１）。この変数Ｌｏｃｋはシステムメモリ５２に保存する。つぎにシステム制御部５０は、記録媒体コントローラ９６を介して、記録部１９の空き容量を問い合わせ、取得した空き容量を変数Ｍｐｒｅに保存する。この変数Ｍｐｒｅはシステムメモリ５２に保存する（Ｓ３０２）。つぎにシステム制御部５０は、システムメモリ５２に変数Ｍを「Ｍｐｒｅ−標準画像サイズ」として保存する（Ｓ３０３）。この標準画像サイズとは、ＲＡＷ画像とＪＰＥＧ画像を足し合わせた標準的なサイズを表すものであり、残り撮影可能回数を画像表示部２８に表示する際に基準となるサイズである。たとえばシャッターボタン６１が押されておらず、撮影処理が行われていないときには、残り撮影可能回数は「記録部１９の残り容量／標準画像サイズ」の計算式で算出され、画像表示部２８に表示される。
【００３４】
つぎにシステム制御部５０は、撮像部２２に撮像データの取り込みを指示する。取り込んだ撮影データはＡ／Ｄ変換器２３でデジタルデータに変換され、メモリ３２にＲＡＷデータとして保存される（Ｓ３０４）。つぎにシステム制御部５０はＳ３０４で保存したＲＡＷデータを圧縮／伸張部１６を用いて圧縮し、圧縮されたデータがメモリ３２に保存される（Ｓ３０５）。この圧縮処理を行うことによってＲＡＷデータのサイズを小さくすることができる。その際、元のＲＡＷデータに復元することができるように可逆圧縮を行う。また圧縮後のデータをここではＣＲ２データと呼ぶことにする。
【００３５】
Ｓ３０５で圧縮が完了すると、圧縮／伸張部１６から圧縮後のＣＲ２データのサイズを取得することができる。そこでシステム制御部５０は、ＣＲ２データのサイズを取得してシステムメモリ５２に変数Ｒｓｖとして保存し（Ｓ３０７）、記録媒体コントローラ９６を介して、記録部１９にＣＲ２データの書き込みを開始する（Ｓ３０８）。
【００３６】
つぎにシステム制御部５０は、Ｓ３０４で取り込んだＲＡＷデータを現像してＹＵＶデータを作成し（Ｓ３０９）、圧縮／伸張部１６を用いてＪＰＥＧ形式に圧縮する（Ｓ３１０）。ＲＡＷデータを現像してＹＵＶデータを作成する方法については広く知られており、ここでは特に説明しない。その後、圧縮／伸張部１６からＳ３１０の圧縮処理の完了通知を受けると、システム制御部５０は圧縮／伸張部１６から圧縮後のＪＰＥＧデータのサイズを取得し（Ｓ３１１）、Ｓ３０７でシステムメモリ５２に保存した変数Ｒｓｖに加算する（Ｓ３１２）。結果として変数Ｒｓｖの値は、ＣＲ２データとＪＰＥＧデータの和になる。
【００３７】
つぎにシステム制御部５０は、システムメモリ５２に保存している変数Ｍの値を「Ｍｐｒｅ−Ｒｓｖ」の計算結果に書き換える（Ｓ３１３）。結果として、変数Ｍの値は、撮影処理を行う前の記録部１９の残容量から、書き込む予定の画像サイズを引いた値が保存される。つぎにシステム制御部５０は、記録媒体コントローラ９６を介して、記録部１９にＪＰＥＧデータの書き込みを開始する（Ｓ３１４）。その後、システム制御部５０は記録媒体コントローラ９６からＣＲ２データの書き込み完了通知（Ｓ３１５）、ＪＰＥＧデータの書き込み完了通知（Ｓ３１６）を受け取ると、システムメモリ５２に保存している変数Ｌｏｃｋの値を０にする（Ｓ３１７）。
【００３８】
図４は第１の実施例におけるＲＡＷ＋ＪＰＥＧ画像の同時記録における残り撮影回数取得処理の処理フローの一例である。
【００３９】
システム制御部５０は、システムメモリ５２に保存している変数Ｌｏｃｋの値が１かどうかを判定する（Ｓ４０１）。この変数Ｌｏｃｋが１になるのは、図３で説明した撮影処理が行われ、撮影した画像が記録部１９に書き込まれるまでの期間である（Ｓ３０１〜Ｓ３１７）。撮影処理が行われていないときは変数Ｌｏｃｋの値は０である。Ｓ４０１で変数Ｌｏｃｋの値が１でないときは、システム制御部５０は、記録媒体コントローラ９６を介して、記録部１９の空き容量を問い合わせ、取得した空き容量を変数Ｍに保存する（Ｓ４０２）。その後、Ｓ４０３に進む。
【００４０】
一方、Ｓ４０１で変数Ｌｏｃｋの値が１のときはＳ４０３に進み、変数ＡｖａｉｌＳｈｏｔｓを「変数Ｍ／標準画像サイズ」の計算式で算出した値をシステムメモリ５２に保存する（Ｓ４０３）。このとき変数Ｍは、図３のＳ３０３、Ｓ３１３で変更した値である。その後、システム制御部５０はＳ４０３で算出したＡｖａｉｌＳｈｏｔｓの値を返し、この値を画像表示部２８に表示する。なお、本実施例においては、システム制御部５０はマルチタスクＯＳで動作しており、図３の撮影処理と、図４の残り撮影回数取得処理とが並列に動作し、いつでも残り撮影可能回数を表示することが可能である。
【００４１】
図５は残容量を表す変数Ｍの変遷を示した図である。
【００４２】
まず第２シャッタースイッチ６４を検出すると、残容量Ｍの値を標準画像サイズ分だけ減ずる。そのため、この時点で残り撮影可能回数が１減じられる。その後、ＣＲ２とＪＰＥＧデータの両方の画像サイズが確定した時点で、撮影前の残容量から確定したＣＲ２とＪＰＥＧデータの両方のサイズを引いた値となる。このように画像ファイルのサイズが確定するまでは（変数Ｌｏｃｋの値が１の期間）、記録部１９の残容量から標準画像サイズを引いた値を元に残り撮影可能回数が計算されるため、撮影処理中であっても実際の残り撮影可能回数から大きくかい離することのない値を求めることが可能となる。また記録部１９に書き込む画像ファイルのサイズが確定した時点で、正確な残容量を求めることが可能となるため、実際に書き込みが完了する前に正確な残り撮影可能回数を表示することが可能となる。
【００４３】
図６は残り撮影可能回数の表示の一例である。
【００４４】
６０１は残り撮影可能回数を表しており、目安として９６回撮影が可能であることを示している。この残り撮影可能回数は、撮影中であっても、記録部１９に画像ファイルを書き込み中であっても表示可能である。また画像表示部２８だけではなく、一眼レフカメラのように光学ビューファインダー内に表示してもよい。
【００４５】
以上説明したように第１の実施例によれば、撮影中と撮影後で残り可能撮影回数の変動を最大でも１回（最小限）の撮像装置を提供することが可能となる。
【実施例２】
【００４６】
図７を用いて第２の実施例を説明する。
【００４７】
図７はホワイトバランスブラケットのように１枚のＲＡＷ画像から複数のＪＰＥＧファイルを作成する撮影モードにおける、変数Ｍの変遷を表している。図７では、１枚のＲＡＷ画像を現像／画像処理を行って、３枚のＪＰＥＧ画像ファイルを作成するときの一例を示している。
【００４８】
第２シャッタースイッチ６４を検出して、ＲＡＷ画像を取り込み、取り込んだ画像を現像して、すべてのＪＰＥＧ画像のファイルサイズが確定するまでは変数Ｍの値は撮影前の記録部１９の残容量から標準画像サイズを減じた値である。この標準画像サイズは３枚の全画像の合計サイズの予測値を表したものである。
【００４９】
その後、ＲＡＷ画像を現像し、すべてのＪＰＥＧ画像を作成し、書き込むファイルサイズが確定した時点で、変数Ｍの値を撮影前の残り容量から前画像ファイルのサイズを減じたものに変更する。そのことによって、すべての画像ファイルの書き込み前に正確な残容量を表示することが可能となる。
【実施例３】
【００５０】
図８を用いて第２の実施例を説明する。図８はクリエイティブショットにおける撮影処理の処理フローの一例である。
【００５１】
クリエイティブショットとは、１回の撮影で３枚の被写体を撮影し（ＲＡＷ画像の取り込み）、フィルターをかける／画像を切り出す／画像を回転する処理を施した画像を６枚作成するものである。このとき撮影する３枚の画像は、ピント位置をずらす、露出を変える、連写を行うことによって撮影する。ピント位置をずらしての撮影はフォーカスブラケット、露出を変更しての撮影はＡＥブラケットとして広く知られており、ここでは特に説明しない。
【００５２】
システム制御部５０は、まず撮影シーンの解析を行う（Ｓ８０１）。たとえば被写体に人物が含まれているか、風景なのかなどを解析する。そして、その解析結果によって撮影する３枚の画像をフォーカスブラケット、ＡＥブラケット、連写のいずれの方法で撮影を行うのかを決定する。
【００５３】
つぎにシステム制御部５０はＳ８０２に進む。Ｓ８０２〜Ｓ８０４は、図３のＳ３０１〜Ｓ３０３と同じであり、ここでは特に説明しない。つぎにシステム制御部５０は、撮像部２２に１枚目の撮像データの取り込みを指示する。取り込んだ撮影データはＡ／Ｄ変換器２３でデジタルデータに変換され、メモリ３２にＲＡＷデータとして保存される（Ｓ８０５）。続いて、Ｓ８０５と同様にＳ８０６で２枚目の撮影データ、Ｓ８０７で３枚目の撮影データの取り込みを行う。
【００５４】
３枚のＲＡＷデータの取り込みが終わると、システム制御部５０は変数Ｒｓｖの値を０にし（Ｓ８０８）、さらに変数Ｎの値を０にする（Ｓ８０９）。つぎにシステム制御部５０は撮影パラメータを設定する（Ｓ８１０）。ここで設定するパラメータは色フィルタや、切り出しサイズ、切り出し位置などがある。Ｓ８１０で設定した撮影パラメータでＲＡＷ現像を行ってＹＵＶデータを作成する（Ｓ８１１）。Ｓ８１１で作成されたＹＵＶデータを、圧縮／伸張部１６を用いてＪＰＥＧ形式に圧縮する（Ｓ８１２）。Ｓ８１２で圧縮／伸張部１６からデータの圧縮完了の通知を受け取ると、ＪＰＥＧデータのサイズが確定する（Ｓ８１３）。ここでＳ８１３で取得したデータを変数Ｒｓｖに加算する（Ｓ８１４）。つぎにシステム制御部５０は記録媒体コントローラ９６に対して、ＪＰＥＧデータを記録部１９への書き込みを開始するように指示する（Ｓ８１６）。その後、変数Ｎの値を１増やし（Ｓ８１６）、変数Ｎの値が６より小さいときはＳ８１０に戻り、６以上のときはＳ８１８に進む。
【００５５】
つぎにシステム制御部５０は変数Ｍの値を「Ｍｐｒｅ−Ｒｓｖ」の計算式で求めた値に変更する（Ｓ８１８）。この値は、撮影前の記録部１９の残容量（Ｍｐｒｅ）から、記録する全ファイルの容量（Ｒｓｖ）を減じたものである。その後、記録媒体コントローラ９６から作成した６枚すべてのＪＰＥＧデータの書き込み完了の通知を受け取ると（Ｓ８１９）、変数Ｌｏｃｋの値を０にして（Ｓ８２０）処理を終了する。なお、Ｓ８１８は図３のＳ３１３，Ｓ８２０は図３のＳ３１７と同じ処理である。
【００５６】
また残り撮影可能回数取得処理は、第１の実施例において図４を用いて説明したのと同じである。こうした処理を行うことによって、１回の撮影で複数回の画像を取り込む場合においても、撮影中と撮影後で残り可能撮影回数の変動を最大でも１回にすることが可能となる。
【００５７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５８】
２８  画像表示部、６０  モード切替スイッチ、６１  シャッターボタン、
７０  操作部、７２  電源スイッチ
【図１】
2017118209.tif 000003
【図２】
2017118209.tif 000004
【図３】
2017118209.tif 000005
【図４】
2017118209.tif 000006
【図５】
2017118209.tif 000007
【図６】
2017118209.tif 000008
【図７】
2017118209.tif 000009
【図８】
2017118209.tif 000010